(57)【特許請求の範囲】
【請求項１】
元素分析用の分析装置であって、
試料保持器と、
酸素及び不活性ガス用の配管（７０）と、
試料の触媒燃焼用の反応器と、
前記反応器の下流に設けられた還元反応器と、
前記還元反応器の下流に設けられた吸着器と、
前記吸着器の下流に設けられた検出器と、
前記検出器により送信されたデータを処理する論理ユニットと
を含み、
前記試料保持器は、駆動器（１２、１８）によって、前記試料の一つを排出する排出口（３８）が装備された基体（４）上をデカルトＸＹ座標系における並進態様で可動な多孔フィールド板（２４）を含む分析装置。
【請求項２】
前記多孔フィールド板（２４）は、拡大横断片（５０）によって互いが分離された第１孔フィールド（４４）及び第２孔フィールド（４８）を含む請求項１に記載の分析装置。
【請求項３】
前記多孔フィールド板（２４）は、
前記基体（４）を形成する基体板（２）に対して第１方向（Ｘ）に可動かつ前記基体板（２）を包囲する横棒（６）上に保持され、
前記横棒（６）の縦方向に前記横棒に対して可動に保持される請求項１又は２に記載の分析装置。
【請求項４】
第１移送孔フィールド（５６、５８）が装備された移送板（５４）を含み、
前記第１移送孔フィールド（５６、５８）は、前記多孔フィールド板と前記移送板との間において引き抜き可能な摺動板（６４）が、前記移送板（５４）を前記多孔フィールド板（２４）へと入れた後に前記移送板（５４）の下側を閉止するべく割り当てられた第１孔フィールド（４４）に少なくとも対応する請求項１から３のいずれか一項に記載の分析装置。
【請求項５】
前記基体（４）の下側に設けられかつ拡張シリンダ（３４）内に封止的に案内される摺動ピストン（３０）を含み、
前記摺動ピストン（３０）は受容孔（３２）を有し、前記受容孔（３２）が前記排出口（３８）と整列される第１位置と、前記受容孔（３２）が、前記反応器に通じる前記配管の配管セクション（４２）に整列配置される第２位置との間で周期的に可動である請求項１から４のいずれか一項に記載の分析装置。
【請求項６】
前記受容孔（３２）の第２位置における位置決めを確認するべく表示窓（５２）が前記基体（４）に画定される請求項５に記載の分析装置。
【請求項７】
前記排出口（３８）及び／又は前記表示窓（５２）の方を向くカメラ（６８）を含む請求項６に記載の分析装置。
【請求項８】
元素分析用の分析装置の試料保持器であって、
試料の一つを排出する排出口（３８）が装備された基体（４）上をデカルトＸＹ座標系における並進態様で駆動器によって可動な多孔フィールド板（２４）を含む試料保持器。
【請求項９】
前記多孔フィールド板（２４）は、互いが拡大横断片（５０）によって分離された第１孔フィールド（４４）及び第２孔フィールド（４８）を含む請求項８に記載の試料保持器。
【請求項１０】
前記多孔フィールド板（２４）は、
前記基体（４）を形成する基体板（２）に対して第１方向（Ｘ）に可動かつ前記基体板（２）を包囲する横棒（６）上に保持され、
前記横棒（６）の縦方向に前記横棒に対して可動に保持される請求項８に記載の試料保持器。
【請求項１１】
第１移送孔フィールド（５６、５８）が装備された移送板（５４）を含み、
前記第１移送孔フィールド（５６、５８）は、前記多孔フィールド板と前記移送板との間において引き抜き可能な摺動板（６４）が、前記移送板（５４）を前記多孔フィールド板（２４）へと入れた後に前記移送板（５４）の下側を閉止するべく割り当てられた第１孔フィールド（４４）に少なくとも対応する請求項９に記載の試料保持器。
【請求項１２】
前記基体（４）の下側に設けられかつ拡張シリンダ（３４）内に封止的に案内される摺動ピストン（３０）を含み、
前記摺動ピストン（３０）は受容孔（３２）を有し、前記受容孔（３２）が前記排出口（３８）と整列される第１位置と、前記受容孔（３２）が、反応器に通じる配管セクション（４２）に整列配置される第２位置との間で周期的に可動である請求項８に記載の試料保持器。
【請求項１３】
前記受容孔（３２）の第２位置における位置決めを確認するべく表示窓（５２）が前記基体（４）に画定される請求項１２に記載の試料保持器。
【請求項１４】
前記表示窓（５２）の方を向くカメラ（６８）を含む請求項１３に記載の試料保持器。
【請求項１５】
前記排出口（３８）の方を向くカメラ（６８）を含む請求項８に記載の試料保持器。
【発明の詳細な説明】
【技術分野】
【０００１】
以下の発明は、例えば特許文献１により知られている元素分析用の分析装置に関する。本発明はこの場合、詳しくは、定量的元素分析用の分析装置に関する。この文脈において特に、試料における窒素含有量を決定する元素分析用の分析装置を示すことを目的とする。
【背景技術】
【０００２】
試料保持器、酸素及び不活性ガスのライン、試料の触媒燃焼用反応器、当該反応器の下流に設けられた還元反応器、当該還元反応器の下流に設けられた吸着器、当該吸着器の下流に設けられた検出器、並びにデータ処理用論理ユニットを備えた元素分析用の分析装置が、上記特許文献１により知られている。分析装置は、複数の孔を備えた回転ホイールによって形成された試料保持器を有する。当該孔は、同一半径の円周上に等距離に配列され、分析のための試料へのアクセスを可能にするべく排出口の上方へと逐次的に運ばれる。その箇所で試料は、触媒燃焼用反応器へと落下する。それに従い、酸素が燃焼時間の間、加えられる。酸素の量が、計算上使用される試料重量と、試料タイプとに基づいて自動的に計算される。したがって、計算は化学量論的に行われる。反応器の下流には、試料の還元に使用される還元反応器が設けられる。還元反応器の下流には吸着器が設けられる。吸着器に後続するのは、ガスフローに合流する分析対象元素の含有量を決定する検出器である。検出器は論理ユニットと協働する。論理ユニットには検出器によって記録されたデータが送信され、かかるデータに基づいて、通常は定量的な、元素含有量についての試料評価がもたらされる。
【０００３】
上述によれば、逐次的に配列される構成部材が、ガス流路において上流に与えられる場合、分析装置内のかかる構成部材同士の間に又は当該構成部材の後段に、さらなる要素が配列され得ないわけではない。したがって、業界周知のように、水トラップ及び／又は一つ若しくは複数の自己再生可能水吸着器が、ガスから水を抽出するべく還元反応器の後段に配置される。加えて、ガスフローから周期的に抽出可能でありかつ脱着プロセスにおいて統合され得る吸着体要素の再生装置を、ガスフローから二酸化炭素を分離するべく設けることができる。この再生は、請求項１の一般的な用語で言及される要素を包含する分析装置のハウジングの外側で行うことができる。同様に、再生器をハウジング内に設け、例えば特許文献１によって説明される自動脱着に適した態様で形成することもできる。
【先行技術文献】
【特許文献】
【０００４】
【特許文献１】欧州特許出願公開第１  ５８６  ８９５（Ａ１）号明細書
【０００５】
本発明は、一般に知られている元素分析用の分析装置をさらに進展させることを目的とする。本文脈において本発明は特に、分析用の試料を挿入するプロセスを改善することを目的とする。
【０００６】
本課題を解決するべく、本発明によれば、多孔フィールド板を含む試料保持器が提案される。多孔フィールド板は、通常は所定の格子パターンに設けられる複数の孔を有する。当該孔は通常、多孔フィールド板を貫通するように、すなわち貫通孔として、連続的に設けられる。当該孔は通常、円筒形である。格子パターンにより、少なくとも一つの第１孔フィールドの形成がもたらされる。この第１孔フィールドにおいて、当該孔は通常、互いに対して一定の横方向距離及び縦方向距離で設けられる。多孔フィールド板は、多孔フィールド板の孔から特定の試料を排出する排出口が装備された基体上を動くことができる。したがって、排出口は通常、形状及びサイズの点で多孔フィールド板の孔の直径と同等の直径を有する。
【０００７】
本発明に係る解決策により、多孔フィールド板に対し、基体に対向する側から試料を充填することができる。多孔フィールド板は、通常はデカルトＸＹ座標系において、標準的な並進態様で基体上を自由に動き、多孔フィールド板の個々の孔を排出口の上方へともたらしてそこに試料を排出することができる。以前から知られている回転ホイールによる解決策とは対照的に、以前から知られている解決策は、元素分析を目的として試料を分析装置の中へと排出できる柔軟な可能性を与える。したがって、例えば、基体と、多孔フィールド板の柔軟性及び多孔フィールド板の寸法との調和をとることにより、多孔フィールド板を、基体の排出口の外でも動かすことができる。すなわち、多孔フィールド板の個々の孔を、排出口を通過するように導くことができる。それゆえ、多孔フィールド板の、互いに異なる方向に位置決めされた孔フィールドを、逐次的に排出口の中へと供給し、当該排出口との重なりを確保することができる。したがって、孔の配列と多孔フィールド板の所定の孔への試料の挿入とを通じて、個々の試料の試料分析のための順序を、必ずしも事前に画定する必要がなくなる。さらに、多孔フィールド板において好ましくは同一の縦方向距離及び横方向距離にあるいくつかの平行列の孔によって形成されるのが好ましい所定の格子パターンの孔を、除外することができるので、多孔フィールド板に試料を供給することが有意に単純化される。
【０００８】
本発明の好ましいさらなる進展によれば、多孔フィールド板は、拡大横断片によって互いに分離された第１孔フィールド及び第２孔フィールドを有する。第１孔フィールドは通常、互いに隣り合って配置された数列の孔を備える格子パターンを有する。この第１孔フィールドは、分析対象試料の通常の取り込みを目的として使用される。第２孔フィールドは、わずかな数の、又はただ一つの孔を含み得る。わずかな数の孔しか設けられない場合、第２孔フィールドのこうした孔は互いに、第１孔フィールドの格子パターンの孔と同じ縦方向又は横方向距離で設けられる。しかしながら、第２孔フィールドもまた、ただ一列の孔によって形成することができる。
【０００９】
この設計は、優先試料を第２孔フィールドに供給する可能性と、当該列の外側にある好ましい試料を標的にするべく多孔フィールド板を基体に対して動かす制御を行う可能性とを伴う。これを目的として、横断片を有する多孔フィールド板を排出口と重なるようにし、当該横断片に沿って当該排出口の上方を、優先される分析対象試料を包含する第２孔フィールドの位置に到達するまで動かす。その後、当該位置に置かれた孔が、排出口と重なるようにされる。
【００１０】
明らかなことだが、排出口に対する基体の動きは、駆動器によって、好ましくは論理ユニットを介したコンピュータ支援によって、自動的に行われる。この論理ユニットは通常、検出器が送信するデータを処理する論理ユニットに一様に接続される。その結果、各排出試料の識別情報を、当該検出器が送信するデータを処理する論理ユニットに直接送信することができる。
【００１１】
拡大横断片は通常、互いに平行に延びた２列の孔に平行に延びる。一列が第１孔フィールドに関連付けられ、他列が第２孔フィールドに関連付けられる。通常、拡大横断片は、多孔フィールド板の一エッジ面から他エッジ面へと連続する。横断片が拡大されるとは、この横断片が、例えば第１孔フィールドの、２つの隣接孔列の間の横断片よりも広いことを意味する。横断片は通常、排出口と完全に重なる幅に設計される。したがって、多孔フィールド板は排出口の上方を、この排出口が部分的にもブロックされないように動くことができる。その結果、第２孔フィールドの優先試料が標的とされ、かつ、第２孔フィールドから排出される。
【００１２】
本発明の好ましいさらなる進展によれば、基体に対する第１方向に可動な多孔フィールド板が横棒上に保持されることに起因して、分析装置の特に単純な設計が達成される。この好ましい設計によれば、基体は、横棒によって包囲された基体板によって形成される。基体の下方には、第１方向への横棒の動きを介して多孔フィールド板の動きを伝達する駆動器が設けられるのが好ましい。この駆動器は、例えば、基体板を包囲する横棒の案内横断片に設けられたギヤラックと噛合するエンジンとすることができる。横棒の第１方向への動きを案内する案内要素が、通常は基体の下に設けられる。さらに好ましくは、横棒は、多孔フィールド板の保持器と協働して当該多孔フィールド板を横断片に沿って第２方向に動かす独立駆動器を有する。この第２方向は横棒の縦方向であり、通常は、第１方向を横切る方向に延びる。このように形成された横棒により、多孔フィールド板を、基体の平面上をＸＹ座標系に従って動かすことができる。また、第２方向への動きは通常、駆動器のギヤホイールによって伝達され、多孔フィールド板の平面に平行に延びるギヤラックが、当該多孔フィールド板に結合される。
【００１３】
多孔フィールド板の容易な供給を目的として、少なくとも第１孔フィールドに対応する第１移送孔フィールドが装備される移送板が、本発明の好ましいさらなる進展によって提案される。移送板の下側を閉じる摺動板が、この移送板に割り当てられる。摺動板は通常、移送板の摺動案内部に保持され、当該移送板に形成された移送孔の方向に落下しないように固定される一方、当該方向と直角をなす一の方向に可動である。摺動板は、移送板の下側に画定された移送孔を閉止する。したがって、移送板は最初に、試料とともに装填することができる。移送板は、一方では当該移送板の両側に、他方では多孔フィールド板の両側に、孔フィールドとの重なりをもたらすべく、形状嵌めロック又は他の位置決め支援手段を有する。このプロセスにおいて、多孔フィールド板の孔は通常、符号が付される。当該符号は、摺動板が挿入されている間でも多孔フィールド板内の個々の位置を読み取ることができるように、摺動板に設けられるのが好ましい。これにより、多孔フィールド板内の一定位置への試料の割り当てが容易となる。移送板は通常、両側が孔板のエッジと単に重なることによって孔の整列配列が達成できるように、多孔フィールド板と同じ寸法を有する。その後、摺動板は通常、多孔フィールド板と当該移送板との間にある摺動案内部から引き出され、試料が当該多孔フィールド板の孔の中へと落下される。
【００１４】
分析装置は通常、多孔フィールド板の孔が鉛直方向に延びることによって、移送板から多孔フィールド板への移送と、反応器に向かう試料の排出との双方が重力によって引き起こされるように整列される。この動き方向とは反対に、ガスは通常、排出口を通るように流れる。外気は、試料とともに触媒燃焼用反応器の中へと流れ込んで、そこで当該試料の結果を歪ませることが信頼性をもって防止される。分析装置は通常、不活性ガスが流れている間の汚染なしに試料を排出できるように、かつ、その後に酸素ガスへの切り替えが、残渣なしの触媒燃焼を達成するべく行われるように、配管内の酸素フローと不活性ガスフローとを切り替えるバルブを有する。
【００１５】
移送板は、第１及び第２孔フィールドに応じて形成される孔フィールドを有し得る。この孔フィールドは、通常の順序で処理される試料と優先度の高い試料との双方を、移送板の位置決め後に装填できるように、第１及び第２孔フィールドに整列する。
【００１６】
本発明の好ましいさらなる進展によれば、拡張シリンダ内に封止的に案内される摺動ピストンが、基体の下側に設けられる。摺動ピストンは、標準的には排出口と同軸整列された受容孔を有する。この受容孔は、第１位置及び第２位置間を周期的に行ったり来たりすることができる。第１位置において、受容孔は排出口に整列する。第２位置において、受容孔は、特にヘリウムである不活性ガスと、通常は触媒燃焼用反応器に直接導かれる酸素との配管の一配管セクションに、厳密に鉛直に延びて整列する。
【００１７】
したがって、基体から排出口へと移送された試料は、反応器に直接到達することができる。摺動ピストンは通常、拡張シリンダの中に封止的に保持される。これを目的として、拡張シリンダの内周面と協働する封止リングを保持する溝が通常、受容孔のすぐ隣りの摺動ピストンに画定される。拡張シリンダは通常、排出口を通った分析装置の中への望ましくない大気の侵入を防止するべく、すでに少なくとも不活性ガス用の源に接続されている。このように、上述の拡張シリンダは、その中に摺動ピストンが吸収されたロックを形成する。
【００１８】
本発明の好ましいさらなる進展によれば、基体は表示窓を有する。この表示窓により第２位置において、基体を通して受容孔を見ることができる。したがって、試料が実際は、受容孔が第２位置にある場合に配管の配管セクションへと排出されることがわかる。この場合、表示窓は、外気が表示窓を通って受容孔へと及び反応器へと侵入するのが防止されるように、受容孔の上の領域を封止する。表示窓は通常、表示窓の上方に試料を、当該試料の一部が当該表示窓の領域に捕捉されずに再配置できるように、基体の表面に面一かつ刻み目なしに設けられる。
【００１９】
本発明の好ましいさらなる進展によれば、排出口及び／又は表示窓の方を向くカメラが設けられる。カメラは通常、中央論理ユニットに接続され、排出口を介した試料の排出、及び／又は受容孔の第２位置にある試料の、配管セクションへの移送を光学的にモニタリングする。
【００２０】
図面に関連して以下の実施形態により、本発明のさらなる詳細及び利点が与えられる。
【図面の簡単な説明】
【００２１】
【図１】本実施形態の上側からの側面斜視図である。
【図２】本実施形態の下側の斜視図である。
【図３】本実施形態の上側の上面斜視図である。
【図４】移送板が取り外されている間の本実施形態の上面図である。
【図５】拡張シリンダの部品が透明に描かれた本実施形態の下面斜視図である。
【図６】わずかに修正された第２実施形態の上面斜視図である。
【図７】デュマ（Ｄｕｍａｓ）による元素分析用の本質的構成部材の概略表示である。
【発明を実施するための形態】
【００２２】
図１及び２は、本実施形態の本質的部品を表示する。これは、平らな基体４を形成する基体板２は上面において、矢印Ｘの方向に可動な、かつ、基体板２に接続された横棒６を案内する。これを目的として、横棒６は、基体板２を包囲する側方脚部８を有する（図２参照）。そこでは、縦方向案内部１０と、ギヤホイールを介して第１ギヤラック１４と噛合する第１駆動器１２とが設けられる。第１ギヤラック１４は、脚部８の一方に固定される。これにより、横棒６が基体４に対し、第１方向、すなわちＸ方向に動く可能性がもたらされる。
【００２３】
横棒６は、ギヤホイールを介して第２ギヤ棒２０と噛合する第２駆動器１８を覆うカバー１６を有する。第２ギヤ棒２０は、多孔フィールド板２４の保持器２２に接続される。横棒６は横方向案内部２６を形成する。保持器２２は、横方向案内部２６を介して第２方向、すなわち図１に示されるＸＹ方向に動くことができる。２つの駆動器１２、１８は、論理ユニットとの制御接続部を介して結合される。制御接続部は、多孔フィールド板２４が所定の位置に保持及び／又は配列されるように２つの駆動器１２、１８を制御する。
【００２４】
図２は試料導入用のロックを示す。これは、参照番号２８により標識される。このロック２８の詳細は図５に表示される。ロック２８は、受容孔３２が組み込まれかつ拡張シリンダ３４の中を可動に保持された可動摺動ピストン３０を有する（図５参照）。拡張シリンダ３４は、基体板３８に画定された排出口と整列する供給口３６と、配管セクション４２と整列する吐出口４０とを有する。配管セクション４２は、拡張シリンダ３４に接続され、かつ、図示しない触媒燃焼用反応器の封止ねじ留めに適合される。
【００２５】
分析装置を形成するさらなる構成部材はそれ自体、主に図示されない。この場合、分析装置用の、特に、試料中の窒素の分析のための分析装置用の本質的構成部材を開示する特許文献１が参照される。本文脈においては、その開示が参照される。
【００２６】
図４に示される多孔フィールド板２４は、互いに対して均等な距離に設けられた多数列の孔４６を備えた第１孔フィールド４４と、一列の孔４６により形成された第２孔フィールド４８とを有する。当該２つの孔フィールド４４、４８間には拡大横断片５０が設けられる。
【００２７】
さらに図４は、多孔フィールド板２４の裏側から見た排出口３８と、参照番号５２により標識された表示窓とを表示する。表示窓により、受容孔３２が配管セクション４２と整列する摺動ピストン３０の第２位置にある受容孔３２への、拡張シリンダ３４の壁を通る視点が許容される。
【００２８】
図４に示されるように、横断片５０は、第１孔フィールド４４の列間接続ブリッジよりも広い幅を有する。この場合、横断片５０の幅は、排出口３８の直径をわずかに超え、ひいては排出口３８を覆うのに適するように選択される。
【００２９】
図１及び３は、第１実施形態を、同図において多孔フィールド板２４上にレイアウトされた移送板５４とともに示す。移送板５４は、多孔フィールド板２４と同じ寸法を有する。また、移送板５４は、第１及び第２移送孔フィールド５６、５８を有する。第１及び第２移送孔フィールド５６、５８の孔は、多孔フィールド板２４の第１及び第２孔フィールド４４、４８の孔と同じ距離及び／又は格子パターンを備える。位置決めを容易にするべく、多孔フィールド板２４を保持して第２ギヤラック２０に接続される保持アーム６０と、かかる保持アームと直角をなして延びる担体６２とには、多孔フィールド板２４及び移送板５４の高さに近似的に対応する、基体４を上回る高さが与えられる。これは、多孔フィールド板２４及び移送板５４の双方の側において、当該板２４、５４を互いの上に配列することによって、移送板５４を孔と正確に重なるように挿入できる受容口をもたらす。保持アーム６０及び担体６２は、第２駆動器に接続される。図１は、多孔フィールド板２４の上部に設けられ、かつ、移送板５４上に画定された摺動案内部６６において可動に保持された摺動板６４をさらに示す。摺動板６４は、移送孔フィールド５６、５８の孔を下側から閉止する。したがって、移送板５４は最初は、実験室施設において装填され、その後、摺動板６４が多孔フィールド板２４の上方位置となるように配列されかつかかる多孔フィールド板に整列される。その後、摺動板６４が引き抜かれることにより、各試料が、移送板５４の孔から、多孔フィールド板２４の対応する孔４６へと落下する。
【００３０】
特に図３に示されるように、試料位置が移送板５４の各一つの孔に、ひいては多孔フィールド板２４の各一つの孔に割り当てられるように、試料位置が摺動板６４の上側に刻み込まれる。本文脈において、試料位置１〜６４は、第１孔フィールドの位置に対応する。これらの孔４６は、一定の横方向及び縦方向距離、すなわちＸ方向及びＹ方向双方における一定の間隔、を有する。孔Ａ〜Ｈは、第２孔フィールド２の孔である。これらはＸ方向にのみ逐次的に設けられるが、第１孔フィールド４４の孔４６から離間する。
【００３１】
摺動板６４を引き抜くことによる多孔フィールド板２４の装填の後、移送板５４は、本実施形態により自動分析が行われている間、かかる移送板を再び装填するべく持ち上げられる。これを目的として、駆動器１２及び１８が制御された態様で操作され、多孔フィールド板２４が、排出口３８の上において選択された孔４６に合わせられる。したがって、試料は、対応する孔４６から出るように、すなわち第１位置にある摺動ピストン３０の受容孔３２の中へ、排出される。その後、摺動ピストン３０は拡張シリンダ３４の中へと変位されるので、受容孔３２が配管セクション４２に整列する。その結果、重力ゆえに試料は、吐出口４０を通って配管セクション４２の中へ、ひいては触媒燃焼用反応器の中へと排出される。試料は、酸素を加える公知の態様によって燃焼される。燃焼ガスは処理され、例えば水が分離される。引き続き、燃焼ガスは、分析の関心成分が分離されて検出器により測定可能となるように吸着体に供給される。
【００３２】
図６は、基体４の上方にカメラ６８が設けられた代替実施形態を示す。その視野には、排出口３８及び表示窓５２の双方が存在する。カメラ６８は通常、表示窓５２の軸の軸方向延長上に設けられるので、配管セクション４２を光学的に記録可能である。カメラ６８は中央論理ユニットに接続される。これは、試料が多孔フィールド板２４から排出口３８を介して排出されることと、試料が受容孔３２から配管セクション４２の中へと排出されることとを検出可能である。
【００３３】
例えばヘリウムのような不活性ガスを拡張シリンダ３４の中へと導き得るガス配管が、拡張シリンダ３４に接続される。したがって、分析装置内に、試料中の測定対象物質／決定対象元素を包含しない不活性ガスの雰囲気をもたらすべく、当初から拡張シリンダ３４の中に包含されていた外気を、分析前に排出口３８を介して除去することができる。
【００３４】
配管セクション４２からの試料のさらなる経路が、図６に模式的に表示される。試料は、触媒燃焼を目的として反応器ＵＲの中に落下される。このプロセスにおいて形成されたガスが、還元反応器ＲＲの中へと供給される。その後、燃焼ガスの中に包含されていた水が吸着される（Ｈ）。ガス中に包含されていたＣＯ２が、引き続いてガスから除去される（Ｃ）。最後に窒素含有量が（Ｓにおいて）測定され、当該測定値がコンピュータ（ＰＣ）によって分析かつ放出される。図７において参照番号７０で標識された枠は、この場合、ハウジング内に配置された分析装置特徴部を例示する。図１〜６を参照して上述された試料保持器を有する拡張シリンダ３４が、ハウジング７０の上側に設けられ、試料保持器は、多孔円板（７２）によって模式的にのみ示される。
【符号の説明】
【００３５】
２  基体板
４  基体
６  横棒
８  脚部
１０  縦方向案内部
１２  第１駆動器
１４  第１ギヤラック
１６  カバー
１８  第２駆動器
２０  第２ギヤラック
２２  保持器
２４  多孔フィールド板
２６  横方向案内部
２８  ロック
３０  摺動ピストン
３２  受容孔
３４  拡張シリンダ
３６  供給口
３８  排出口
４０  吐出口
４２  配管セクション
４４  第１孔フィールド
４６  孔
４８  第２孔フィールド
５０  拡大横断片
５２  表示窓
５４  移送板
５６  第１移送孔フィールド
５８  第２移送孔フィールド
６０  保持アーム
６２  担体
６４  摺動板
６６  摺動案内部
６８  カメラ
７０  枠
７２  多孔円板
【図１】
0006312747.tif 000002
【図２】
0006312747.tif 000003
【図３】
0006312747.tif 000004
【図４】
0006312747.tif 000005
【図５】
0006312747.tif 000006
【図６】
0006312747.tif 000007
【図７】
0006312747.tif 000008